【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
開放位置及び閉鎖位置を有する航空機翼防氷バルブの監視システムであって、
（Ａ）WINGスイッチの圧出位置から押込位置に変わる第一イベントと前記航空機翼防氷バルブが前記開放位置に移動する第二イベントとの間の時間及び（Ｂ）WINGスイッチの押込位置から圧出位置に変わる第三イベントと前記航空機翼防氷バルブが前記閉鎖位置に移動する第四イベントとの間の時間のうちの少なくとも一つを記録する時間記録装置と、
前記時間記録装置が記録した、前記第一イベントと前記第二イベントとの間の前記時間及び前記第三イベントと前記第四イベントとの間の前記時間のうちの前記少なくとも一つを取得するデータ取得装置と、
前記データ取得装置が取得した、前記第一イベントと前記第二イベントとの間の前記時間及び前記第三イベントと前記第四イベントとの間の前記時間のうちの前記少なくとも一つに応じて、航空機翼防氷バルブ性能メッセージを生成するメッセージ生成装置と、
を含む、航空機翼防氷バルブの監視システム。
【請求項２】
前記時間記録装置はタイマを含み、前記タイマは、前記第三イベントと前記第四イベントとの間の前記時間を記録する、
請求項１に記載の航空機翼防氷バルブの監視システム。
【請求項３】
前記航空機翼防氷バルブは一つのセンサーを含み、前記センサーは前記航空機翼防氷バルブが前記開放位置にあるか否かを探測し、前記時間記録装置はタイマを含み、前記タイマは、前記第一イベントと前記第二イベントとの間の前記時間を記録する、
請求項１に記載の航空機翼防氷バルブの監視システム。
【請求項４】
航空機翼防氷バルブ性能評価装置を更に含み、前記航空機翼防氷バルブ性能評価装置は、前記航空機翼防氷バルブ性能メッセージを受信し、前記航空機翼防氷バルブ性能メッセージの中の、前記第一イベントと前記第二イベントとの間の前記時間及び前記第三イベントと前記第四イベントとの間の前記時間のうちの前記少なくとも一つに応じて、前記航空機翼防氷バルブの性能を評価する、
請求項１に記載の航空機翼防氷バルブの監視システム。
【請求項５】
前記航空機翼防氷バルブ性能評価装置は、前記第一イベントと前記第二イベントとの間の前記時間及び前記第三イベントと前記第四イベントとの間の前記時間のうちの前記少なくとも一つの履歴データを参照する、
請求項４に記載の航空機翼防氷バルブの監視システム。
【請求項６】
前記航空機翼防氷バルブ性能評価装置は前記航空機翼防氷バルブに故障が現れる時間を推定する、
請求項５に記載の航空機翼防氷バルブの監視システム。
【請求項７】
通信装置を更に含み、前記通信装置は前記航空機翼防氷バルブ性能メッセージを前記航空機翼防氷バルブ性能評価装置へ転送する、
請求項４に記載の航空機翼防氷バルブの監視システム。
【請求項８】
前記航空機翼防氷バルブ性能メッセージは、（Ａ）前記第一イベントと前記第二イベントとの間の前記時間及び（Ｂ）前記第三イベントと前記第四イベントとの間の前記時間のうちの少なくとも一つの補正後時間を含み、前記補正後時間は以下の補正式を用いて計算される、
補正後時間=補正前時間+(a*(PD)+b)、
PDは抽気圧力を表示し、aとbは補正パラメーターである、
請求項４に記載の航空機翼防氷バルブの監視システム。
【請求項９】
前記航空機翼防氷バルブ性能メッセージは、前記第一イベント前の状態と、前記第一イベント後の状態と、前記第二イベントの期間中の状態と、を含む、又は、前記第三イベント前の状態と、前記第四イベントの期間中の状態と、を含み、上述した状態は少なくともエンジン抽気圧力をそれぞれ含む、
請求項８に記載の航空機翼防氷バルブの監視システム。
【請求項１０】
前記航空機翼防氷バルブ性能評価装置は、（Ａ）前記第一イベントと前記第二イベントとの間の前記時間及び（Ｂ）前記第三イベントと前記第四イベントとの間の前記時間のうちの前記少なくとも一つの前記補正後時間が第１の閾値又は第２の閾値を越えるか否かを判断し、前記第２の閾値は前記第１の閾値より大きい、
請求項９に記載の航空機翼防氷バルブの監視システム。
【請求項１１】
前記航空機翼防氷バルブ性能評価装置は、（Ａ）前記第一イベントと前記第二イベントとの間の前記時間及び（Ｂ）前記第三イベントと前記第四イベントとの間の前記時間のうちの前記少なくとも一つの前記補正後時間が前記履歴データに比べて実質的な変化が発生したか否かを判断する、
請求項９に記載の航空機翼防氷バルブの監視システム。
【請求項１２】
前記航空機翼防氷バルブ性能評価装置は、独立サンプルを検証することによって、前記航空機翼防氷バルブが前記開放位置又は前記閉鎖位置に移動する前記補正後時間が前記履歴データに比べて実質的な変化が発生したか否かを判断する、
請求項１１に記載の航空機翼防氷バルブの監視システム。
【請求項１３】
前記航空機翼防氷バルブ性能評価装置は、線形近似傾斜度成り行きによって、（Ａ）前記第一イベントと前記第二イベントとの間の前記時間及び（Ｂ）前記第三イベントと前記第四イベントとの間の前記時間のうちの前記少なくとも一つの前記補正後時間が前記履歴データに比べて実質的な変化が発生したか否かを判断する、
請求項１１に記載の航空機翼防氷バルブの監視システム。
【請求項１４】
開放位置及び閉鎖位置を有する航空機翼防氷バルブの監視方法であって、
前記航空機翼防氷バルブが前記開放位置又は前記閉鎖位置に移動する時間を記録するステップ、
時間記録装置が記録した前記航空機翼防氷バルブが前記開放位置又は前記閉鎖位置に移動する前記時間を取得するステップ、
データ取得装置が取得した前記航空機翼防氷バルブが前記開放位置又は前記閉鎖位置に移動する前記時間に応じて、航空機翼防氷バルブ性能メッセージを生成するステップ、
前記航空機翼防氷バルブ性能メッセージを受信するステップ、
前記航空機翼防氷バルブが前記開放位置又は前記閉鎖位置に移動する前記時間の履歴データを参照するステップ、及び
前記航空機翼防氷バルブ性能メッセージの中の前記航空機翼防氷バルブが前記開放位置又は前記閉鎖位置に移動する前記時間に応じて、前記航空機翼防氷バルブの性能を評価するステップ、
を含む、航空機翼防氷バルブの監視方法。
【請求項１５】
前記航空機翼防氷バルブが前記閉鎖位置に移動する前記時間を記録する前記ステップは、WINGスイッチの押込位置から圧出位置に変わるときから前記航空機翼防氷バルブが前記閉鎖位置に移動するまでの時間を記録することを含む、
請求項１４に記載の航空機翼防氷バルブの監視方法。
【請求項１６】
前記航空機翼防氷バルブが前記開放位置に移動する前記時間を記録する前記ステップは、WINGスイッチの圧出位置から押込位置に変わるときから前記航空機翼防氷バルブが前記開放位置に移動するまでの時間を記録することを含む、
請求項１４に記載の航空機翼防氷バルブの監視方法。
【請求項１７】
WINGスイッチの押込位置から圧出位置に変わるときと前記航空機翼防氷バルブが前記閉鎖位置に移動するときとの間の時間、又はWINGスイッチの圧出位置から押込位置に変わるときと前記航空機翼防氷バルブが前記開放位置に移動するときとの間の時間を記録するステップを更に含む、
請求項１４に記載の航空機翼防氷バルブの監視方法。
【請求項１８】
前記航空機翼防氷バルブに故障が現れる時間を推定するステップを更に含む、
請求項１４に記載の航空機翼防氷バルブの監視方法。
【請求項１９】
地空データリンクを利用して、前記航空機翼防氷バルブ性能メッセージを転送するステップを更に含む、
請求項１４に記載の航空機翼防氷バルブの監視方法。
【請求項２０】
補正式を用いて、前記航空機翼防氷バルブが前記開放位置又は前記閉鎖位置に移動する前記時間を補正するステップを更に含み、前記補正式は以下の通りであり、即ち、
補正後時間=補正前時間+(a*(PD)+b)、
PDは抽気圧力を表示し、aとbは補正パラメーターである、
請求項１４に記載の航空機翼防氷バルブの監視方法。
【請求項２１】
前記航空機翼防氷バルブ性能メッセージは、WINGスイッチの押込前の状態と、前記WINGスイッチの押込後の状態と、前記WINGスイッチの圧出されるときの状態と、前記航空機翼防氷バルブが前記閉鎖位置に移動する前記時間と、を含む、又は、WINGスイッチの押込前の状態と、前記WINGスイッチの押込後の状態と、前記航空機翼防氷バルブが前記閉鎖位置に移動する前記時間と、を含み、上述した状態のそれぞれは少なくともエンジン抽気圧力を含む、
請求項２０に記載の航空機翼防氷バルブの監視方法。
【請求項２２】
前記航空機翼防氷バルブの性能を評価する前記ステップは、前記航空機翼防氷バルブが前記開放位置又は前記閉鎖位置に移動する前記補正後時間が第１の閾値又は第２の閾値を越えるか否かを判断するステップを含み、前記第２の閾値は前記第１の閾値より大きい、
請求項２０に記載の航空機翼防氷バルブの監視方法。
【請求項２３】
前記航空機翼防氷バルブの性能を評価する前記ステップは、前記航空機翼防氷バルブが前記開放位置又は前記閉鎖位置に移動する前記補正後時間が履歴データに比べて実質的な変化が発生したか否かを判断するステップを含む、
請求項２０に記載の航空機翼防氷バルブの監視方法。
【請求項２４】
前記航空機翼防氷バルブが前記開放位置又は前記閉鎖位置に移動する前記補正後時間が前記履歴データに比べて実質的な変化が発生したか否かを判断する前記ステップは、独立サンプルを検証することによって、前記航空機翼防氷バルブが前記開放位置又は前記閉鎖位置に移動する前記補正後時間が前記履歴データに比べて実質的な変化が発生したか否かを判断するステップを含む、
請求項２３に記載の航空機翼防氷バルブの監視方法。
【請求項２５】
前記航空機翼防氷バルブが前記開放位置又は前記閉鎖位置に移動する前記補正後時間が前記履歴データに比べて実質的な変化が発生したか否かを判断する前記ステップは、線形近似傾斜度成り行きによって、前記航空機翼防氷バルブが前記開放位置又は前記閉鎖位置に移動する前記補正後時間が前記履歴データに比べて実質的な変化が発生したか否かを判断するステップを含む、
請求項２３に記載の航空機翼防氷バルブの監視方法。
【請求項２６】
前記航空機翼防氷バルブ性能メッセージは、前記航空機翼防氷バルブが前記閉鎖位置に移動する前記時間を含み、前記航空機翼防氷バルブ性能メッセージを生成する前記ステップは、
前記航空機翼防氷バルブが既に正常的に動作するか否かを判断するステップと、
前記WINGスイッチの押込前の前記状態と前記WINGスイッチの押込後の前記状態とを収集するステップと、
前記WINGスイッチの圧出される際の前記状態を収集するステップと、
前記航空機翼防氷バルブが前記閉鎖位置に移動する前記時間を取得するステップと、
前記防氷バルブ性能メッセージを生成するステップと、
を含む、
請求項２１に記載の航空機翼防氷バルブの監視方法。
【請求項２７】
前記航空機翼防氷バルブが既に正常的に動作するか否かを判断する前記ステップは、
（1）前記WINGスイッチがON位置に維持されるか否か、
（2）抽気通路圧力が15psiより大きいか否か、
（3）前記航空機翼防氷バルブの位置は、「非閉鎖」位置にあることを表示するか否か、及び
（4）持続時間が約5秒より長いか否か、
を判断するステップを含む、
請求項２６に記載の航空機翼防氷バルブの監視方法。
【請求項２８】
前記航空機翼防氷バルブが前記閉鎖位置に移動する前記時間が30秒より長い場合、前記航空機翼防氷バルブに故障が存在すると判断するステップを更に含む、
請求項２１に記載の航空機翼防氷バルブの監視方法。
【請求項２９】
一つ又は複数の航空機翼防氷バルブ性能メッセージを取得するステップであって、前記一つ又は複数の航空機翼防氷バルブ性能メッセージは、（Ａ）WINGスイッチの圧出位置から押込位置に変わる第一イベントと前記航空機翼防氷バルブが開放位置に移動する第二イベントとの間の時間及び（Ｂ）WINGスイッチの押込位置から圧出位置に変わる第三イベントと前記航空機翼防氷バルブが閉鎖位置に移動する第四イベントとの間の時間のうちの少なくとも一つを含む、ステップと、
前記航空機翼防氷バルブの性能を評価するステップと、
前記航空機翼防氷バルブのためのメインテナンススケジュールを作成するステップと、
前記航空機翼防氷バルブに対してメインテナンスを行うステップと、
を含む
航空機翼防氷バルブのメインテナンス方法。